(57)【要約】【課題】シンプルな構造で、かつネジ保持具を取り付けるドライバーの軸径の許容幅を広くし、しかもネジの押さえとその解除を容易に行えるネジ保持具を提供する。【解決手段】ドライバー用ネジ保持具１Ａは、ドライバー軸挿通用の穴２が開口しているドライバー挿入部３、ドライバー挿入部３から伸びている一対の腕部４ａ、４ｂ、一対の腕部４ａ、４ｂに外嵌する締め付け部材７を有し、一対の腕部４ａ、４ｂはそれぞれ端部に挟持部５ａ、５ｂを、該挟持部５ａ、５ｂの先端面が対向するように有し、挟持部５ａ、５ｂは該挟持部５ａ、５ｂの端部に切り欠き部６ａ、６ｂを有し、腕部４ａ、４ｂに外嵌した締め付け部材７が腕部５ａ、５ｂの長手方向にスライドすることにより一対の挟持部５ａ、５ｂの間隔が変化する。【選択図】図１
2019188478.tif 000002
【特許請求の範囲】
【請求項１】
ドライバー軸挿通用の穴が開口しているドライバー挿入部、該ドライバー挿入部から伸びている一対の腕部、及び一対の腕部にスライド可能に外嵌する締め付け部材を有するドライバー用ネジ保持具であって、
一対の腕部はそれぞれ腕部の端部に挟持部を、該挟持部の先端面同士が対向するように有し、
挟持部は、該挟持部の端部に切り欠き部を有し、
腕部に外嵌した締め付け部材が腕部の長手方向にスライドすることにより一対の挟持部の間隔が変化するドライバー用ネジ保持具。
【請求項２】
ドライバー挿入部、一対の腕部及び一対の挟持部が一体に成形されている請求項１記載のドライバー用ネジ保持具。
【請求項３】
ドライバー挿入部、一対の腕部及び一対の挟持部が板バネから形成されている請求項２記載のドライバー用ネジ保持具。
【請求項４】
ドライバー挿入部、一対の腕部及び一対の挟持部が鋼管から形成されている請求項２記載のドライバーネジ保持具。
【請求項５】
腕部の端部が屈曲することで挟持部が形成されている請求項１〜４のいずれかに記載のドライバー用ネジ保持具。
【請求項６】
切り欠き部の切り欠き形状が弧状又はＶ字型である請求項１〜５のいずれかに記載のドライバー用ネジ保持具。
【発明の詳細な説明】
【技術分野】
【０００１】
本発明は、ドライバー用ネジ保持具に関する。
【背景技術】
【０００２】
ドライバーでネジを締め付ける場合、通常、一方の手でドライバーを握り、他方の手でネジが所定の位置からずれたり傾いたりしないように指でネジを支え、ドライバーを押し回していく。
【０００３】
しかしながら、片手だけでネジの締め付け作業をできるようにしたいという要望があり、ネジ保持具を取り付けたドライバーが提案されている（特許文献１）。このネジ保持具は、一端がドライバーの軸のハンドル寄りに固定リングで固定され、他端のＳ字形状に湾曲した挟持片の屈曲部でネジのねじ切り部を押さえるようになっている。また、この挟持片はコイルバネで常時ドライバーのハンドル側に引き寄せられており、この引き寄せにより挟持片の湾曲部がネジから外れるようになっている。
【先行技術文献】
【特許文献】
【０００４】
【特許文献１】特開平２−２１８５６３号公報
【発明の概要】
【発明が解決しようとする課題】
【０００５】
上述したネジ保持具はドライバーの軸に固定リングで装着しなくてはならないため、その装着が煩雑であり、また、特定の軸径のドライバーにしかネジ保持具を取り付けることができない。さらに、Ｓ字形状の挟持片の湾曲部でネジのねじ切り部を押さえようとしてもねじ切り部が短いと押さえられず、Ｓ字形状の挟持片でネジのねじ切り部を押さえられた場合でも、ドライバーの軸におけるネジ保持具の取り付け位置によって、ドライバーによるネジの押し回しが安定する前に挟持片がネジから外れたり、反対に不用に挟持片がネジに残ったりする。
【０００６】
これに対し、ネジ保持具をよりシンプルな構造とし、かつネジ保持具を取り付けるドライバーの軸径の許容幅を広くし、しかもネジ保持具によるネジの押さえとその解除を容易に行うことができるドライバー用ネジ保持具の提供を課題とする。
【課題を解決するための手段】
【０００７】
本発明者は、ドライバー用ネジ保持具の一方の端部にドライバー軸挿通用の穴を有するドライバー挿入部を設け、ドライバー挿入部から一対の腕を伸ばし、該腕部に外嵌させた締め付け部材をスライドさせることにより一対の腕部の端部の挟持部を開閉させると、その挟持部でネジの押さえと解除を容易かつ確実に行うことができ、ネジ保持具のドライバーへの着脱も極めて容易であることを想到し、本発明を完成させた。
【０００８】
即ち、本発明は、ドライバー軸挿通用の穴が開口しているドライバー挿入部、該ドライバー挿入部から伸びている一対の腕部、及び一対の腕部にスライド可能に外嵌する締め付け部材を有するドライバー用ネジ保持具であって、
一対の腕部はそれぞれ腕部の端部に挟持部を、該挟持部の先端面同士が対向するように有し、
挟持部は、該挟持部の端部に切り欠き部を有し、
腕部に外嵌した締め付け部材が腕部の長手方向にスライドすることにより一対の挟持部の間隔が変化するドライバー用ネジ保持具を提供する。
【発明の効果】
【０００９】
本発明のドライバー用ネジ保持具は構造が極めてシンプルであり、板バネ又は鋼管を用いて容易に安価に製造することができる。また、ドライバー軸挿通用の穴にドライバーの軸を通すだけでドライバーに装着することができるので、ネジ保持具の着脱が容易である。さらに、この穴はドライバーの軸が挿通できればよく、ドライバーの軸にネジ保持具が固定されるようにドライバーの軸が穴にぴったり嵌まることは不要であるため、ネジ保持具を適用できるドライバーの軸径の許容幅が広い。
【００１０】
また、腕部に外嵌している締め付け部材をスライドさせるだけで、挟持部におけるネジの押さえと解除を容易かつ確実に行うことができる。
【図面の簡単な説明】
【００１１】
【図１】図１は、実施例のドライバー用ネジ保持具１Ａの斜視図である。
【図２Ａ】図２Ａは、実施例のドライバー用ネジ保持具１Ａの使用方法を説明する側面図である。
【図２Ｂ】図２Ｂは、実施例のドライバー用ネジ保持具１Ａの使用方法を説明する側面図である。
【図２Ｃ】図２Ｃは、実施例のドライバー用ネジ保持具１Ａの使用方法を説明する側面図である。
【図２Ｄ】図２Ｄは、実施例のドライバー用ネジ保持具１Ａの使用方法を説明する側面図である。
【図２Ｅ】図２Ｅは、実施例のドライバー用ネジ保持具１Ａの使用方法を説明する側面図である。
【図３】図３は、実施例のドライバー用ネジ保持具１Ｂの斜視図である。
【図４Ａ】図４Ａは、実施例のドライバー用ネジ保持具１Ｃの、締め付け部材を嵌める前の斜視図である。
【図４Ｂ】図４Ｂは、実施例のドライバー用ネジ保持具１Ｃの、締め付け部材を嵌めた後の斜視図である。
【発明を実施するための形態】
【００１２】
以下、本発明を図面を参照しつつ詳細に説明する。なお、各図において、同一符号は同一又は同等の構成要素を表している。
【００１３】
図１は、一実施例のドライバー用ネジ保持具１Ａの斜視図である。このドライバー用ネジ保持具１Ａは、ステンレス等の板バネを屈曲させて形成されており、トング型をしている。即ち、ドライバー用ネジ保持具１Ａはトングの中間屈曲部に相当する部分が、ドライバー軸挿通用の穴２が開口しているドライバー挿入部３となっており、ドライバー挿入部３から一対の腕部４ａ、４ｂが伸び、各腕部４ａ、４ｂはその端部が屈曲し、挟持部５ａ、５ｂを形成している。したがって、ドライバー挿入部３、一対の腕部４ａ、４ｂ及び一対の挟持部５ａ、５ｂが一体に成形されたものとなっている。なお、この実施例ではドライバー挿入部３で板バネ材をコ字型に屈曲させているが、Ｃ字型に屈曲させてもよい。
【００１４】
挟持部５ａ、５ｂは、その先端面同士が対向している。挟持部５ａ、５ｂの端部には弧状（Ｕ字型）の切り欠き部６ａ、６ｂが形成されている。この切り欠き部６ａ、６ｂは、挟持部５ａ、５ｂで押さえるネジが該挟持部５ａ、５ｂからズレにくくするために形成されている。切り欠き部６ａ、６ｂの形状は弧状に限られず、例えばＶ字型にしてもよい。
【００１５】
腕部４ａ、４ｂにはスライド可能に環状の締め付け部材７が外嵌している。また、ネジ保持具１Ａが板バネで形成されていることにより一対の腕部４ａ、４ｂは、それらの端部の挟持部５ａ、５ｂの間隔が開く方向に付勢されている。そのため、締め付け部材７がドライバー挿入部３側にあると一対の挟持部５ａ、５ｂの間隔が開き、締め付け部材７が挟持部５ａ、５ｂ側にスライドすると挟持部５ａ、５ｂの間隔が狭まり、さらには挟持部５ａ、５ｂの端面同士が当接し、押圧する。なお、この実施例では環状の締め付け部材７を設けているが、Ｃ字型の締め付け部材を使用してもよい。
【００１６】
ドライバー挿入部３に開口しているドライバー軸挿通用の穴２の穴径は、ドライバー用ネジ保持具１Ａを装着するドライバー１０の軸１１を挿通できればよく、ドライバー挿入部３がドライバー１０の軸１１に固定されるように穴２が軸１１に嵌合する径であることは不要である。
【００１７】
ドライバー用ネジ保持具１Ａの使用方法としては、まず、ドライバー軸挿通用の穴２にドライバー１０の軸１１を通す（図１、図２Ａ）。次に、ドライバー１０の刃先１２をネジ２０の頭２２の溝に当て、一対の挟持部５ａ、５ｂの切り欠き部６ａ、６ｂでネジ部２１を挟み、締め付け部材７を挟持部５ａ、５ｂ側にスライドさせ、挟持部５ａ、５ｂでネジ部２１を押さえつけるようにして挟持する（図２Ｂ）。このようにネジ２０をドライバー用ネジ保持具１Ａで保持した状態で、ドライバー１０のハンドル１３を握った手でドライバー１０を回し、ネジ２０を所定材料３０にねじ込む（図２Ｃ）。こうして片手でネジ２０をねじ込むことが可能となる。
【００１８】
ネジ２０が所定材料３０にある程度ねじ込まれ、ドライバー用ネジ保持具１Ａによってネジ２０を保持しなくてもドライバー１０でネジ２０を安定してねじ込めるようになったら、締め付け部材７をドライバー挿入部３側にスライドさせて挟持部５ａ、５ｂを開くことによりネジ２０の押さえを解除し（図２Ｄ）、引き続きドライバー１０を回し、ねじ込みを完了する（図２Ｅ）。
【００１９】
なお、所定材料３０にねじ込まれているネジを抜く場合には、締め付け部材７をドライバー挿入部３側にスライドさせて一対の挟持部５ａ、５ｂが開いた状態でドライバー軸挿通用の穴２にドライバー１０の軸１１を通し、その刃先をネジ２０の頭２２の溝に当て、ネジ２０が抜ける方向にドライバー１０を回し、ある程度ネジが抜けたところで締め付け部材７を挟持部５ａ、５ｂ側にスライドさせて一対の挟持部５ａ、５ｂでネジ部２１を挟持し、引き続きドライバー１０を回してネジを抜けばよい。これにより、所定材料３０から抜けたネジ２０をドライバー１０に保持させることができる。
【００２０】
本発明は種々の態様をとることができる。
図３は、鋼管から形成した本発明の実施例のドライバー用ネジ保持具１Ｂの斜視図である。このドライバー用ネジ保持具１Ｂではドライバー挿入部３が筒状となっている。ドライバー軸挿通用の穴２では、必要に応じて鋼管の口径を絞ってもよい。一対の腕部４ａ、４ｂは鋼管をカットし、曲げ加工を施すことにより形成することができる。したがって、このドライバー用ネジ保持具１Ｂも容易かつ安価に製造することができる。
【００２１】
筒状のドライバー挿入部３には、締め付け部材７の抜けを防止するため、突出部８を形成してもよい。
【００２２】
このドライバー用ネジ保持具１Ｂも前述のドライバー用ネジ保持具１Ａと同様に、締め付け部材７をスライドすることにより、容易かつ確実に一対の挟持部５ａ、５ｂでネジの押さえ又はその解除をすることができる。また、このドライバー用ネジ保持具１Ｂによれば、筒状のドライバー挿入部３を手で保持した状態でドライバー１０を回すことができるので、ドライバーのねじ込み作業をより安全に行うことができる。
【００２３】
図４Ａのドライバー用ネジ保持具１Ｃも鋼管から一対の腕部４ａ、４ｂを切り出すことにより形成したものであるが、このドライバー用ネジ保持具１Ｃでは締め付け部材７の内径をドライバー挿入部３の外径よりも小さくし、ドライバー用ネジ保持具１Ｃでネジを保持するときに、図４Ｂに示すように、締め付け部材７を挟持部５ａ、５ｂから一対の腕部４ａ、４ｂに外嵌させるようにしたものである。この場合、締め付け部材７をドライバー挿入部３側にスライドさせると、一対の挟持部５ａ、５ｂの間隔が狭まり、挟持部５ａ、５ｂでネジを挟持することができる。
【００２４】
このように本発明のドライバー用ネジ保持具は極めてシンプルな構成であるが、ネジを容易かつ確実に保持することができる。
【符号の説明】
【００２５】
１Ａ、１Ｂ、１Ｃ  ドライバー用ネジ保持具
２  ドライバー軸挿通用の穴
３  ドライバー挿入部
４ａ、４ｂ  腕部
５ａ、５ｂ  挟持部
６ａ、６ｂ  切り欠き部
７  締め付け部材
８  突出部
１０  ドライバー
１１  軸
１２  刃先
１３  ハンドル
２０  ネジ
２１  ネジ部
２２  頭
３０  所定材料
【図１】
2019188478.tif 000003
【図２Ａ】
2019188478.tif 000004
【図２Ｂ】
2019188478.tif 000005
【図２Ｃ】
2019188478.tif 000006
【図２Ｄ】
2019188478.tif 000007
【図２Ｅ】
2019188478.tif 000008
【図３】
2019188478.tif 000009
【図４Ａ】
2019188478.tif 000010
【図４Ｂ】
2019188478.tif 000011